(57)【要約】【課題】適宜な品質の市況コメントの作成を効率化し、アナリスト等の業務負担を軽減可能とする。【解決手段】市況コメント生成支援装置１００において、第１のソースから得たテキストベースの報道データ１２５と第２のソースから得た数値ベースの市況データ１２６とを格納する記憶装置１０１と、報道データに関して所定の文章解析アルゴリズムを適用し、当該報道データが含む文のうち市況への影響度が所定基準以上の重要文を特定する処理と、前記重要文の各々において所定事象に関する記述の表現がより強いもの、および、前記重要文の各々においてその報道日を起点とした前記市況データの変動幅がより大きいもの、のいずれかを基準に１つの重要文を選定し、当該選定した重要文の報道日を重要日と特定する処理と、当該重要日の市況データを所定の市況コメント雛形に適用した文章と、当該重要日の重要文とを合わせることで市況コメントを生成する演算装置１０４を含む構成とする。【選択図】図２
2019095958.tif 000002
【特許請求の範囲】
【請求項１】
第１のソースから得たテキストベースの報道データと、第２のソースから得た数値ベースの市況データと、を格納する記憶装置と、
前記報道データに関して所定の文章解析アルゴリズムを適用し、当該報道データが含む文のうち市況への影響度が所定基準以上の重要文を特定する処理と、前記重要文の各々において所定事象に関する記述の表現がより強いもの、および、前記重要文の各々においてその報道日を起点とした前記市況データの変動幅がより大きいもの、のいずれかを基準に１つの重要文を選定し、当該選定した重要文の報道日を重要日と特定する処理と、当該重要日の市況データを所定の市況コメント雛形に適用した文章と、当該重要日の重要文とを合わせることで市況コメントを生成する処理と、を実行する演算装置と、
を備えることを特徴とする市況コメント生成支援装置。
【請求項２】
前記演算装置は、
前記重要文の特定に際し、前記文のそれぞれに関して、ソースごとに予め判明している報道データ中での所定位置に配置されたものか否か、予め定めた重要語の登場数、および、当該文の含む所定トピックに関する報道の継続傾向、の少なくともいずれかに関して所定ルールでスコア評価を実行し、当該スコアが最大の文を重要文として特定するものである、
ことを特徴とする請求項１に記載の市況コメント生成支援装置。
【請求項３】
前記演算装置は、
前記トピックに関する報道の継続傾向のスコア評価に際し、前記文のそれぞれにおいて所定キーワードが示す所定トピックに関して、報道日での前記キーワードの登場件数を初期値として期間経過と共に所定割合で減衰し、かつ、報道日以降の前記キーワードの新規登場件数に応じて上昇するとの所定アルゴリズムによって、当該トピックの温度を算定し、当該温度が所定値以上の日が所定期間を超えて継続したものを重要トピックと特定し、当該重要トピックの有無および数に応じて、該当文のスコア評価を行うものである、
ことを特徴とする請求項２に記載の市況コメント生成支援装置。
【請求項４】
前記演算装置は、
前記生成した市況コメントと、前記記憶装置の報道データおよび市況データと、前記市況コメント生成に際して重要文として特定した文と、を所定装置に出力し、所定ユーザによる前記重要文および前記重要日の少なくともいずれかの修正指示を受け付け、当該修正指示に応じて前記重要文および前記重要日の少なくともいずれかの特定を再度実行し、市況コメントをあらためて生成する処理を更に実行するものである、
ことを特徴とする請求項１に記載の市況コメント生成支援装置。
【請求項５】
第１のソースから得たテキストベースの報道データと、第２のソースから得た数値ベースの市況データと、を格納する記憶装置を備えた情報処理装置が、
前記報道データに関して所定の文章解析アルゴリズムを適用し、当該報道データが含む文のうち市況への影響度が所定基準以上の重要文を特定する処理と、
前記重要文の各々において所定事象に関する記述の表現がより強いもの、および、前記重要文の各々においてその報道日を起点とした前記市況データの変動幅がより大きいもの、のいずれかを基準に１つの重要文を選定し、当該選定した重要文の報道日を重要日と特定する処理と、
当該重要日の市況データを所定の市況コメント雛形に適用した文章と、当該重要日の重要文とを合わせることで市況コメントを生成する処理と、
を実行することを特徴とする市況コメント生成支援方法。
【請求項６】
前記情報処理装置が、
前記重要文の特定に際し、前記文のそれぞれに関して、ソースごとに予め判明している報道データ中での所定位置に配置されたものか否か、予め定めた重要語の登場数、および、当該文の含む所定トピックに関する報道の継続傾向、の少なくともいずれかに関して所定ルールでスコア評価を実行し、当該スコアが最大の文を重要文として特定する、
ことを特徴とする請求項５に記載の市況コメント生成支援方法。
【請求項７】
前記情報処理装置が、
前記トピックに関する報道の継続傾向のスコア評価に際し、前記文のそれぞれにおいて所定キーワードが示す所定トピックに関して、報道日での前記キーワードの登場件数を初期値として期間経過と共に所定割合で減衰し、かつ、報道日以降の前記キーワードの新規登場件数に応じて上昇するとの所定アルゴリズムによって、当該トピックの温度を算定し、当該温度が所定値以上の日が所定期間を超えて継続したものを重要トピックと特定し、当該重要トピックの有無および数に応じて、該当文のスコア評価を行う、
ことを特徴とする請求項６に記載の市況コメント生成支援方法。
【請求項８】
前記情報処理装置が、
前記生成した市況コメントと、前記記憶装置の報道データおよび市況データと、前記市況コメント生成に際して重要文として特定した文と、を所定装置に出力し、所定ユーザによる前記重要文および前記重要日の少なくともいずれかの修正指示を受け付け、当該修正指示に応じて前記重要文および前記重要日の少なくともいずれかの特定を再度実行し、市況コメントをあらためて生成する処理を更に実行する、
ことを特徴とする請求項５に記載の市況コメント生成支援方法。
【発明の詳細な説明】
【技術分野】
【０００１】
本発明は、市況コメント生成支援装置および市況コメント生成支援方法に関するものであり、具体的には、適宜な品質の市況コメントの作成を効率化し、アナリスト等の業務負担を軽減可能とする技術に関する。
【背景技術】
【０００２】
金融機関は、自己資金による投資行為の他、顧客への投資助言、或いは顧客が預け入れた資金に基づく投資信託の運用、などを行う。また、こうした投資関連業務を遂行する金融機関は、例えば顧客らに向けて市況レポートを定期発行している。
【０００３】
上述の市況レポートには、市況コメントとよばれる、市況変動の理由や影響を述べる文章が含まれる。この市況コメントの作成は、金融機関のアナリスト等が、対象とする期間の相場数値、相場に影響を与えた事実（報道記事）、相場変動の影響（報道記事）などを参照して行うことが一般的である。
【０００４】
このような投資業務等に伴う情報提供に関する従来技術としては、例えば、具体的な表現文字列と、その種類を示す抽象化タグとの対応関係を定義した辞書データを格納しておく辞書データ記憶手段と、電子化された記事データを格納しておく記事データ記憶手段と、記事データに含まれる抽象化タグの組合せ、あるいは抽象化タグと特定の文字列との組合せ毎に、株価変動イベント情報の構成要素として抽出すべき文字列を規定した抽出ルールを格納しておく抽出ルール記憶手段と、クライアント端末から、株価変動イベント検索のリクエストが送信された場合に、少なくとも銘柄及びイベントタイプの指定欄が設けられた検索画面を送信し、銘柄及びイベントタイプの指定を促す手段と、クライアント端末から、銘柄及びイベントタイプの指定情報が送信された場合に、この銘柄及びイベントタイプをキーに上記記事データ記憶手段を検索し、関連する記事データを抽出する記事データ抽出手段と、抽出された記事データを形態素に分解する形態素解析手段と、上記辞書データを参照し、各形態素の中で少なくとも銘柄、イベントタイプ、時期を表す文字列に対して、対応の抽象化タグを付与する抽象化手段と、各記事データに上記抽出ルールを適用することにより、少なくとも銘柄を表す文字列、イベントタイプを表す文字列、イベント発生時期を表す文字列を抽出して株価変動イベント情報を生成するイベント情報生成手段と、この株価変動イベント情報が記載された検索結果画面を生成し、クライアント端末に送信する手段と、を備えた株価変動イベント情報提供システム（特許文献１参照）などが提案されている。
【先行技術文献】
【特許文献】
【０００５】
【特許文献１】特開２０１１−２０４１９９号公報
【発明の概要】
【発明が解決しようとする課題】
【０００６】
上述の市況コメントの作成に際し、アナリスト等の負担は少なくない。例えば、膨大な数やバリエーションが存在する相場数値や報道記事を日々参照し、それを自身の理解のもとで活用しつつ文書作成を行う、といった業務の工数は大きい。
【０００７】
また、アナリストらが当該業務に関して備えるべき、有形、無形の経験知は、あくまで属人性の強いものである。よって、アナリストらのスキルや経験の違いによって、成果物たる市況コメントの作成効率や品質に大きなばらつきが生じやすい。
そこで本発明の目的は、適宜な品質の市況コメントの作成を効率化し、アナリスト等の業務負担を軽減可能とする技術を提供することにある。
【課題を解決するための手段】
【０００８】
上記課題を解決する本発明の市況コメント生成支援装置は、第１のソースから得たテキストベースの報道データと、第２のソースから得た数値ベースの市況データと、を格納する記憶装置と、前記報道データに関して所定の文章解析アルゴリズムを適用し、当該報道データが含む文のうち市況への影響度が所定基準以上の重要文を特定する処理と、前記重要文の各々において所定事象に関する記述の表現がより強いもの、および、前記重要文の各々においてその報道日を起点とした前記市況データの変動幅がより大きいもの、のいずれかを基準に１つの重要文を選定し、当該選定した重要文の報道日を重要日と特定する処理と、当該重要日の市況データを所定の市況コメント雛形に適用した文章と、当該重要日の重要文とを合わせることで市況コメントを生成する処理と、を実行する演算装置と、を備えることを特徴とする。
【０００９】
また、本発明の市況コメント生成支援方法は、第１のソースから得たテキストベースの報道データと、第２のソースから得た数値ベースの市況データと、を格納する記憶装置を備えた情報処理装置が、前記報道データに関して所定の文章解析アルゴリズムを適用し、当該報道データが含む文のうち市況への影響度が所定基準以上の重要文を特定する処理と、前記重要文の各々において所定事象に関する記述の表現がより強いもの、および、前記重要文の各々においてその報道日を起点とした前記市況データの変動幅がより大きいもの、のいずれかを基準に１つの重要文を選定し、当該選定した重要文の報道日を重要日と特定する処理と、当該重要日の市況データを所定の市況コメント雛形に適用した文章と、当該重要日の重要文とを合わせることで市況コメントを生成する処理と、を実行することを特徴とする。
【発明の効果】
【００１０】
本発明によれば、適宜な品質の市況コメントの作成を効率化し、アナリスト等の業務負担を軽減可能となる。
【図面の簡単な説明】
【００１１】
【図１】本実施形態の市況コメント生成支援装置を含むネットワーク構成図である。
【図２】本実施形態における市況コメント生成支援装置のハードウェア構成例を示す図である。
【図３Ａ】本実施形態における報道データテーブルのデータ構成例を示す図である。
【図３Ｂ】本実施形態における市況データテーブルのデータ構成例を示す図である。
【図４Ａ】本実施形態における重要文位置データテーブルのデータ構成例を示す図である。
【図４Ｂ】本実施形態における重要語データテーブルのデータ構成例を示す図である。
【図５Ａ】本実施形態における記述スコアテーブルのデータ構成例を示す図である。
【図５Ｂ】本実施形態における記述スコアテーブルのデータ構成例を示す図である。
【図６】本実施形態における市況コメント生成支援方法のメインフロー例を示す図である。
【図７】本実施形態における市況コメント生成支援方法の概念例を示す図である。
【図８】本実施形態における市況コメント生成支援方法のフロー例１を示す図である。
【図９】本実施形態における画面例１を示す図である。
【図１０】本実施形態における市況コメント生成支援方法のフロー例２を示す図である。
【図１１】本実施形態における市況コメント生成支援方法のフロー例３を示す図である。
【図１２】本実施形態における市況コメント生成支援方法のフロー例４を示す図である。
【図１３】本実施形態における画面例２を示す図である。
【図１４】本実施形態における画面例３を示す図である。
【図１５】本実施形態における画面例４を示す図である。
【図１６】本実施形態における市況コメント生成支援方法のフロー例５を示す図である。
【図１７】本実施形態におけるトピック別記事件数の例を示す図である。
【図１８】本実施形態におけるトピック温度の例を示す図である。
【発明を実施するための形態】
【００１２】
−−−ネットワーク構成例−−−
【００１３】
以下に本発明の実施形態について図面を用いて詳細に説明する。図１は、本実施形態の市況コメント生成支援装置１００を含むネットワーク構成図である。図１に示す市況コメント生成支援装置１００は、適宜な品質の市況コメントの作成を効率化し、アナリスト等の業務負担を軽減可能とするコンピュータ装置である。
【００１４】
本実施形態の市況コメント生成支援装置１００は、インターネットや企業内ネットワークなど適宜なネットワーク１０を介して、ユーザ端末２００、報道配信サーバ３００、および、市況データ配信サーバ４００、と通信可能に接続されている。
【００１５】
このうちユーザ端末２００は、金融機関のアナリストやファンドマネージャー等の、市況コメントの作成担当者が操作する端末である。このユーザ端末２００としては、一般的なＰＣや或いはタブレット端末、スマートフォンなどを想定できる。
【００１６】
また、報道配信サーバ３００は、報道配信サービスを提供する新聞社や通信社などの報道ソースが運用するサーバ装置であり、上述のとおりネットワーク１０を介して、本実施形態の市況コメント生成支援装置１００と接続され、例えば、所定時間毎にテキストベースの報道データを配信するものである。
【００１７】
また、市況データ配信サーバ４００は、市況データ配信サービスを提供する新聞社や通信社などの報道ソースが運用するサーバ装置であり、上述のとおりネットワーク１０を介して、本実施形態の市況コメント生成支援装置１００と接続され、例えば、所定時間毎に数値ベースの市況データを配信するものである。
−−−ハードウェア構成−−−
【００１８】
また、本実施形態において市況コメント生成支援装置１００のハードウェア構成は以下の如くとなる。図２は本実施形態における市況コメント生成支援装置１００のハードウェア構成例を示す図である。
【００１９】
この市況コメント生成支援装置１００は、ＳＳＤ（Ｓｏｌｉｄ  Ｓｔａｔｅ  Ｄｒｉｖｅ）やハードディスクドライブなど適宜な不揮発性記憶素子で構成される記憶装置１０１、ＲＡＭなど揮発性記憶素子で構成されるメモリ１０３、記憶装置１０１に保持されるプログラム１０２をメモリ１０３に読み出すなどして実行し装置自体の統括制御を行なうとともに各種判定、演算及び制御処理を行なうＣＰＵなどの演算装置１０４、ネットワーク１０と接続して、ユーザ端末２００や報道配信サーバ３００、市況データ配信サーバ４００といった他装置との通信処理を担う通信装置１０５、を備える。
【００２０】
なお、記憶装置１０１内には、本実施形態の市況コメント生成支援装置１００として必要な機能を実装する為のプログラム１０２に加えて、報道データテーブル１２５、市況データテーブルＢ１２６、重要文位置テーブル１２７、重要語テーブル１２８、および、記述スコアテーブル１２９、が少なくとも記憶されている。なお、これら各テーブルの詳細については後述する。
−−−データ構造例−−−
【００２１】
続いて、本実施形態の市況コメント生成支援装置１００が用いるテーブル類について説明する。図３Ａに、本実施形態における報道データテーブル１２５のデータ構成例を示す。
【００２２】
この報道データテーブル１２５は、報道配信サービスを提供する報道配信サーバ３００から、例えば所定時間毎に得ているテキストベースの報道データを格納したテーブルである。
【００２３】
そのデータ構造は、ソースである報道各社を一意に特定するソース名をキーとして、報道データを端的に示す記事タイトル、記事内容、および、配信日時、といったデータから成るレコードの集合体である。
【００２４】
また図３Ｂに、本実施形態における市況データテーブル１２６のデータ構成例を示す。この市況データテーブル１２６は、市況データ配信サービスを提供する市況配信サーバ４００から得ている、数値ベースの市況データ格納したテーブルである。
【００２５】
そのデータ構造は、ソースである市況データの配信社を一意に特定するソース名をキーとして、対象市場、始値と終値など各種の市況値、および、配信日時、といったデータから成るレコードの集合体である。
【００２６】
また図４Ａに、本実施形態における重要文位置データテーブル１２７のデータ構成例を示す。この重要文位置データテーブル１２７は、新聞など各ソースにおける記事別に優先的に重要文が配置されている位置の情報を格納したテーブルである。
【００２７】
そのデータ構造は、新聞社や通信社など報道のソースを一意に特定するソース名をキーとして、記事のタイトル、当該記事での重要文の位置、および、当該記事にて重要文が配置されることのない位置（すなわち除外する文の位置）といったデータから成るレコードの集合体である。
【００２８】
また図４Ｂに、本実施形態における重要語データテーブル１２８のデータ構成例を示す。この重要語データテーブル１２８は、報道データの含む文に含まれうるキーワードであって、市況変動に影響を与える可能性の高い事象に関するものを格納したテーブルである。  そのデータ構造は、重要語に該当するキーワードの集合体である。
【００２９】
また図５Ａに、本実施形態における記述スコアテーブル１２９のデータ構成例を示す。この記述スコアテーブル１２９は、報道データが含む文における各記述の、市況への影響度の大きさに応じて規定したスコアを格納したテーブルである。
そのデータ構造は、スコアの値と、当該スコアに値する、市況における相場変動状況に関する記述、といったデータから成るレコードの集合体である。
【００３０】
また図５Ｂに例示する記述スコアテーブル１２９では、上述の図５Ａの例とは異なり、スコアの値に対して、用語カテゴリ、対象国／機関、および、用語例、といったデータか
らなるレコードの集合体となっている。
【００３１】
この図５Ｂに示す記述スコアテーブル１２９は、当該記述が含む用語カテゴリとその対象（国や機関）について、用語例で示す記述内容を含んでいる場合のスコアを規定している。勿論、図５Ａの記述スコアテーブル１２８と図５Ｂの記述スコアテーブル１２８とを併せて利用するとしてもよい。
−−−フロー例−−−
【００３２】
以下、本実施形態における市況コメント生成支援方法の実際手順について図に基づき説明する。以下で説明する市況コメント生成支援方法に対応する各種動作は、市況コメント生成支援装置１００がメモリ等に読み出して実行するプログラムによって実現される。そして、このプログラムは、以下に説明される各種の動作を行うためのコードから構成されている。
【００３３】
図６は、本実施形態における市況コメント生成支援方法のメインフロー例を示す図である。また図７は、本実施形態における市況コメント生成支援方法の概念例を示す図である。
【００３４】
ここではまず、市況コメント生成支援方法の概要について説明しておく。この場合、市況コメント生成支援装置１００は、ネットワーク１０を介して、報道配信サーバ３００から、市況や政治状況など各種報道のデータを取得し、これを報道データテーブル１２５に格納する（ｓ１００）。ここで取得する報道のデータはテキストベースとなる。
【００３５】
続いて、市況コメント生成支援装置１００は、ネットワーク１０を介して、市況データ配信サーバ４００から、株式市場や債券市場、先物取引市場など各種市場における市況データを取得し、これを市況データテーブル１２６に格納する（ｓ２００）。ここで取得する市況データは、数値ベースとなる。
【００３６】
次に、市況コメント生成支援装置１００は、アナリストやファンドマネージャー等の金融機関の所定担当者の指示をユーザ端末２００から受け付ける（ｓ２５０）。ここで受け付ける指示は、市況コメント生成の対象期間、対象商品（例：自動車、精密機械など株式銘柄）、の各指定である。
【００３７】
続いて、市況コメント生成支援装置１００は、ｓ１００、ｓ２００で得ているテキストベースの報道データおよび数値ベースのうち、ｓ２５０で指定を受けたものの中から、重要文の抽出（ｓ３００）を実行する。この重要文の抽出処理の詳細については後述する。
【００３８】
また、市況コメント生成支援装置１００は、上述のｓ３００で抽出した重要文の報道日を重要日として選定する（ｓ４００）。この重要日の選定処理の詳細についても後述する。
【００３９】
続いて、市況コメント生成支援装置１００は、数値ベースの市況データを所定の雛形に設定して記述文を生成し、この記述文と、ｓ３００で抽出した重要文とを結合させ、市況コメントを生成する（ｓ５００）。
【００４０】
次に、市況コメント生成支援装置１００は、上述のアナリストやファンドマネージャー等のユーザ端末２００に対し、ｓ２５０で指定を受けている対象期間に関して、テキストベースの報道データや数値ベースの市況データ、抽出した重要文、および、生成した市況コメント、を一覧させる画面を配信し、当該画面にて、市況コメントに使う日すなわち重要日の追加、削除に関する指示や、当該指示にて選択された重要日における報道データの
原文を表示し、当該画面で、市況コメントにつかう重要文を追加、削除する指示を受け付ける（ｓ６００）。
【００４１】
また、市況コメント生成支援装置１００は、ｓ５００で生成して提示した市況コメントまたはｓ６００により再生成し提示した市況コメントに対し、上述のユーザ端末２００から修正指示を受けた場合、これに応じて市況コメントを修正し、これをユーザ端末２００に配信し（ｓ７００）、処理を終了する。
【００４２】
次に、上述のメインフロー例にて示したステップのうち主要な処理に対応したものに関して、その詳細を説明する。図８は、本実施形態における市況コメント生成支援方法のフロー例１を示す図であり、具体的には重要文抽出（ｓ３００）の詳細について示すものである。
【００４３】
ここで市況コメント生成支援装置１００は、予めユーザ端末２００から指定を受けている対象期間の報道データを、報道データテーブル１２５から抽出する（ｓ３１０）。ここでの指定を受け付ける画面の例は図９の画面９００にて示すとおりである。この画面９００は、国内外の各市場に関してアナリストやファンドマネージャー等が業務対象としている商品等に関する、キーワード、報道等のソース、対象期間などの指定を受けるインターフェイスを備えている。
【００４４】
次に、市況コメント生成支援装置１００は、ｓ３１０で得た報道データに対して、所定の文章解析アルゴリズム（既存のものを適宜に採用すればよい）を適用し、当該報道データを文ごとに分解し（ｓ３２１）、当該分解で得た各文を単語に分解する（ｓ３２２）。
また、市況コメント生成支援装置１００は、ｓ３２２で各文に関して得た単語の出現頻度の統計を、文ごとに実行する（ｓ３２３）。
【００４５】
続いて、市況コメント生成支援装置１００は、ｓ３２３で得ている単語の出現頻度の統計解析結果を、重要語テーブル１２８に照合して、重要語の出現頻度を算定し（ｓ３３１）、この出現頻度の大きさに応じた評価スコアを該当文の重要度として算出する（ｓ３３３）。なお、市況コメント生成支援装置１００は、重要語の出現頻度の大きさに応じて定まる、重要度の評価スコアのルールをプログラム１０２にて予め保持しているものとする。
【００４６】
また、市況コメント生成支援装置１００は、ｓ３３３で重要度を算出した各文に関して、重要文位置テーブル１２７を参照し、重要文位置テーブル１２７で規定されている報道データ中での所定位置に配置されている場合に、所定の評価スコアを加算した上で、各文のうち評価スコアが所定基準以上のもの、すなわち重要度が所定基準以上のものを重要文として選択する（ｓ３４０）。
また図１０は、本実施形態における市況コメント生成支援方法のフロー例２を示すものであり、具体的には、重要日の選定処理について示すものである。
【００４７】
ここで市況コメント生成支援装置１００は、上述のｓ３００で選択した重要文の各々を、記述スコアテーブル１２８に照合し、この記述スコアテーブル１２８で規定した各事象に関する記述に該当する記述の有無に応じて、当該重要文の評価スコアを算出する（ｓ４１０：ｓ４１１〜ｓ４１３）。
【００４８】
また、市況コメント生成支援装置１００は、上述の重要文各々の報道日を起点とした市況データを、ｓ２００で得た市況データ（必要に応じて市況データテーブル１２６から該当期間のデータを別途取得）から抽出し、その値の変動幅（例：報道当日の終値−前日終値）を算出して、この変動幅の大きさに応じた評価スコアを特定する（ｓ４２０：ｓ４２
１〜ｓ４２３）。勿論、市況コメント生成支援装置１００は、上述の変動幅の大きさに応じた評価スコアの値のルールを、プログラム１０２にて予め保持するものとする。
【００４９】
続いて、市況コメント生成支援装置１００は、ｓ４１０およびｓ４２０でそれぞれ算出した評価スコアに基づいて１つの重要文を選定し、当該選定した重要文の報道日を重要日と特定する、重要日の選定処理を行う（ｓ４３０）。
【００５０】
なお重要文選定のルール、すなわち選択ルールとしては、ユーザ端末２００から予め受け付けているものとする。また、そうした選択ルールの具体例としては、例えば、ｓ４１０で得た重要文の評価スコアの絶対値が最大の日を選択するものを想定できる。或いは、ｓ４２０で得た変動幅の大きさに応じた評価スコアの絶対値が最大の日を選択するものを想定できる。また、ｓ４１０で得た重要文の評価スコアの絶対値が最大かつ、ｓ４２０で得た変動幅の大きさに応じた評価スコアの絶対値も最大の日、を選択するものも想定できる。或いは、変動幅の大きさに応じた評価スコアの絶対値が最大の日を選択するものも想定できる。
また図１１は、本実施形態における市況コメント生成支援方法のフロー例３を示すものであり、具体的には、市況コメントの生成処理について示すものである。
【００５１】
ここで市況コメント生成支援装置１００は、ｓ４００までで特定している重要日の市況データ（ｓ２００で得ているもので、例えば始値と終値など）を所定の市況コメント雛形に適用して所定の文章を生成し（ｓ５１０）、当該重要日の重要文（ｓ４００で得ている重要日のもの）とを結合させることで市況コメントを生成する（ｓ５２０）。
【００５２】
また図１２は、本実施形態における市況コメント生成支援方法のフロー例４を示すものであり、具体的には、選択日・選択文の確認・修正の受け付け処理について示すものである。
【００５３】
ここで市況コメント生成支援装置１００は、上述のｓ５２０で生成した市況コメントと、これに関連する情報（対象期間の報道データ、市況データ、重要文等）を、ユーザ端末２００に配信し、表示させた上で（ｓ６１０）、市況コメントの対象期間のうちユーザ所望の重要日、すなわちこれに対応した重要文に関する指定あるいは削除の指示を受け付ける（ｓ６２０）。こうした重要文の選択動作については図１３の画面１２００において、「対象期間の記事概要」欄１２１０（詳細は図１４の画面１３００）にてアナリストやファンドマネージャー等が該当記事（重要文）を選択した結果、選択記事の文群欄１２２０（詳細は図１５の画面１４００）にて重要文が列挙された様子で例示する。
【００５４】
また、市況コメント生成支援装置１００は、ｓ６２０で指定された重要日の重要文に関する情報（図１３の画面１２００における選択記事の文群欄１２２０やフォーカス記事全文欄１２１５）をユーザ端末２００に配信し、表示させると共に（ｓ６３０）、ｓ６２０で受けた指示に基づいて市況コメント生成（ｓ６４０）を改めて行う。図１３の画面１２００では、こうして生成した例を市況コメント１２３０として示している。
また図１６は、本実施形態における市況コメント生成支援方法のフロー例５を示すものであり、具体的には、トピック温度の算定処理について示すものである。
【００５５】
ここで市況コメント生成支援装置１００は、上述の重要文の特定に際し、報道データの含む文それぞれに関して、当該文が含む所定トピックに関する報道の継続傾向、に関して所定ルールでスコア評価を実行する。
【００５６】
この場合、市況コメント生成支援装置１００は、ｓ１００で既に得ている報道データにおける各文（ｓ３２１での分解で抽出済み）のそれぞれにおいて、重要語テーブル１２８
など適宜な辞書に規定された所定キーワードを含むか判定することで、当該文のトピックを特定する（ｓ３１０、ｓ３５１）。
【００５７】
続いて、市況コメント生成支援装置１００は、当該文の報道日での上述のキーワードの登場件数を初期値としてカウントし、これを報道日からの経過日数と共に所定の減衰率（例：０．５／（日））で減衰させ、かつ、報道日以降の該当キーワードの新規登場件数に応じて上昇する、との所定アルゴリズムによって、当該トピックの温度を算定する（ｓ３５２）。
【００５８】
上述のうちキーワードの登場件数を各日に関してカウントしたトピック別記事件数１７００の例を図１７で示す。この例で示すように、例えば、トピック「英ＥＵ離脱」は、報道日から３日目における該当キーワードの件数が「１」、その後の２３日目、２４日目、２９日目、に再びキーワードが「１」件ずつ報道データに登場している様子がわかる。
【００５９】
また、このトピック別記事件数１７００の例に基づいてトピック温度を算定した場合、図１８で示すように、例えば、トピック「英ＥＵ離脱」のトピック温度は、報道初日は、初期値の「１」度、２日目は、１×０．５＋１（２日目に報道データに登場した１件）＝１．５度、などと算定できる。
【００６０】
続いて、市況コメント生成支援装置１００は、ｓ３５２で算出したトピック温度が所定値以上の日が所定期間を超えて継続したものを重要トピックと特定し（ｓ３５３）、当該重要トピックの有無および数の多さに応じて、該当文のスコア評価を行い、重要文の選択（ｓ３４０）に反映させる。具体的には、図８のフローにおけるｓ３３８の算出結果に当該評価スコアを加算することとなる。
【００６１】
以上、本発明を実施するための最良の形態などについて具体的に説明したが、本発明はこれに限定されるものではなく、その要旨を逸脱しない範囲で種々変更可能である。
こうした本実施形態によれば、適宜な品質の市況コメントの作成を効率化し、アナリスト等の業務負担を軽減可能となる。
【００６２】
本明細書の記載により、少なくとも次のことが明らかにされる。すなわち、本実施形態の市況コメント生成支援装置において、前記演算装置は、前記重要文の特定に際し、前記文のそれぞれに関して、ソースごとに予め判明している報道データ中での所定位置に配置されたものか否か、予め定めた重要語の登場数、および、当該文の含む所定トピックに関する報道の継続傾向、の少なくともいずれかに関して所定ルールでスコア評価を実行し、当該スコアが最大の文を重要文として特定するものである、としてもよい。
【００６３】
これによれば、報道データの含む各文から市況コメントとして採用に値するものを、アナリスト等に特段の業務負担を課すことなく、精度良く特定することが可能となる。ひいては、好適な品質の市況コメントの作成をさらに効率化し、アナリスト等の業務負担を軽減可能となる。
【００６４】
また、本実施形態の市況コメント生成支援装置において、前記演算装置は、前記トピックに関する報道の継続傾向のスコア評価に際し、前記文のそれぞれにおいて所定キーワードが示す所定トピックに関して、報道日での前記キーワードの登場件数を初期値として期間経過と共に所定割合で減衰し、かつ、報道日以降の前記キーワードの新規登場件数に応じて上昇するとの所定アルゴリズムによって、当該トピックの温度を算定し、当該温度が所定値以上の日が所定期間を超えて継続したものを重要トピックと特定し、当該重要トピックの有無および数に応じて、該当文のスコア評価を行うものである、としてもよい。
【００６５】
これによれば、報道データの含む各文から、継続的に報道がなされた事象に関するもので、市況コメントとしてより採用に値するものを、アナリスト等に特段の業務負担を課すことなく、さらに精度良く特定することが可能となる。ひいては、好適な品質の市況コメントの作成をさらに効率化し、アナリスト等の業務負担を軽減可能となる。
【００６６】
また、本実施形態の市況コメント生成支援装置において、前記演算装置は、前記生成した市況コメントと、前記記憶装置の報道データおよび市況データと、前記市況コメント生成に際して重要文として特定した文と、を所定装置に出力し、所定ユーザによる前記重要文および前記重要日の少なくともいずれかの修正指示を受け付け、当該修正指示に応じて前記重要文および前記重要日の少なくともいずれかの特定を再度実行し、市況コメントをあらためて生成する処理を更に実行するものである、としてもよい。
【００６７】
これによれば、報道データから重要文、重要日の特定に活用されたものについてアナリスト等に明確に提示し、当該アナリスト等における市況コメント生成あるいは修正の判断を容易なものとし、結果的に精度良好な市況コメントの生成につなげることが可能となる。ひいては、さらに好適な品質の市況コメントの作成をさらに効率化し、結果として、アナリスト等の業務負担を軽減可能となる。
【００６８】
また、本実施形態の市況コメント生成支援方法において、前記情報処理装置が、前記重要文の特定に際し、前記文のそれぞれに関して、ソースごとに予め判明している報道データ中での所定位置に配置されたものか否か、予め定めた重要語の登場数、および、当該文の含む所定トピックに関する報道の継続傾向、の少なくともいずれかに関して所定ルールでスコア評価を実行し、当該スコアが最大の文を重要文として特定する、としてもよい。
【００６９】
また、本実施形態の市況コメント生成支援方法において、前記情報処理装置が、前記トピックに関する報道の継続傾向のスコア評価に際し、前記文のそれぞれにおいて所定キーワードが示す所定トピックに関して、報道日での前記キーワードの登場件数を初期値として期間経過と共に所定割合で減衰し、かつ、報道日以降の前記キーワードの新規登場件数に応じて上昇するとの所定アルゴリズムによって、当該トピックの温度を算定し、当該温度が所定値以上の日が所定期間を超えて継続したものを重要トピックと特定し、当該重要トピックの有無および数に応じて、該当文のスコア評価を行う、としてもよい。
【００７０】
また、本実施形態の市況コメント生成支援方法において、前記情報処理装置が、前記生成した市況コメントと、前記記憶装置の報道データおよび市況データと、前記市況コメント生成に際して重要文として特定した文と、を所定装置に出力し、所定ユーザによる前記重要文および前記重要日の少なくともいずれかの修正指示を受け付け、当該修正指示に応じて前記重要文および前記重要日の少なくともいずれかの特定を再度実行し、市況コメントをあらためて生成する処理を更に実行する、としてもよい。
【符号の説明】
【００７１】
１０    ネットワーク
１００  市況コメント生成支援装置
１０１  記憶装置
１０２  プログラム
１０３  メモリ
１０４  演算装置
１０５  通信装置
１２５  報道データテーブル
１２６  市況データテーブル
１２７  重要文位置テーブル
１２８  重要語テーブル
１２９  記述スコアテーブル
２００  ユーザ端末
２０１  記憶装置
２０２  プログラム
２０３  メモリ
２０４  演算装置
２０５  入力装置
２０６  出力装置
２０７  通信装置
３００  報道配信サーバ
４００  市況データ配信サーバ
【図１】
2019095958.tif 000003
【図２】
2019095958.tif 000004
【図３Ａ】
2019095958.tif 000005
【図３Ｂ】
2019095958.tif 000006
【図４Ａ】
2019095958.tif 000007
【図４Ｂ】
2019095958.tif 000008
【図５Ａ】
2019095958.tif 000009
【図５Ｂ】
2019095958.tif 000010
【図６】
2019095958.tif 000011
【図７】
2019095958.tif 000012
【図８】
2019095958.tif 000013
【図９】
2019095958.tif 000014
【図１０】
2019095958.tif 000015
【図１１】
2019095958.tif 000016
【図１２】
2019095958.tif 000017
【図１３】
2019095958.tif 000018
【図１４】
2019095958.tif 000019
【図１５】
2019095958.tif 000020
【図１６】
2019095958.tif 000021
【図１７】
2019095958.tif 000022
【図１８】
2019095958.tif 000023